(57)【要約】【課題】購買者の不正行為を防止するために、ラベルの張替えを容易に検知できるラベルであって、意匠性にも優れた貼替え防止ラベルを提供する。【解決手段】透明又は半透明のラベル基材２の裏面に着色剤を含有した粘着剤５によって文字、記号又は図形等の表示がなされ、前記ラベル基材２の裏面に施された粘着剤５による表示（裏面の表示３）が該ラベル基材２の表側から透視可能とされると共に、該ラベル基材２の裏面の粘着剤５を被貼着面６に貼り付けて剥がしたとき、前記ラベル基材２の裏面の粘着剤３が全部又は部分的に前記被貼着面６に付着することによって該ラベル基材から全部又は部分的に離脱するようにした。【選択図】図１
0003137001.tif 000002
【実用新案登録請求の範囲】
【請求項１】
透明又は半透明のラベル基材の表面に着色インキによる表示がなされた貼替え防止ラベルにおいて、ラベル基材の裏面に着色剤を含有したことによって色彩を有する粘着剤を用いて文字、記号又は図形等の表示がなされることにより、ラベル基材の裏面になされた表示がラベル基材の表側から透過して見え、該ラベル基材の裏面の粘着剤を被貼着面に貼り付けて剥がしたとき、前記ラベル基材の裏面の粘着剤が全部又は部分的に前記被貼着面に付着することによって該ラベル基材から全部又は部分的に離脱するようにしたことを特徴とする貼替え防止ラベル。
【考案の詳細な説明】
【技術分野】
【０００１】
本考案は、価格表示ラベル等のように商品等に貼り付ける粘着剤を備えたラベルであって、そのラベルが不正に貼替えられることを防止するようにした貼替え防止ラベルに関する。
【背景技術】
【０００２】
従来から、個々の商品等に貼り付けた価格表示ラベルを悪意で張り替え、正規の値段を偽って購入する等の不正行為が発生し、スーパー、デパート、小売店等で大きな問題となっている。このような不正行為を防止するラベルとしては、ラベルの一部に切込を設けたもの、ラベルの材質に脆弱な基材を用い、剥すとそのラベルが破れるようにしたもの、又は最上層の用紙が擬似接着剤で付着された三層構造であって最上層の用紙を一度剥がすと再び付着することができないようにしたものなどがある。
【０００３】
また、特許文献１に記載されているものは、表面基材の片面に施された粘着剤層に着色剤が含有され、表面基材側から粘着剤層にかけて切り込みが形成されてなる貼替え防止ラベルであり、粘着ラベルを剥そうとしたとき、粘着剤層から切り込みに沿って着色剤が染み出ることにより、切り込み部に着色が発現し、その着色を目視などで検知することにより、粘着ラベルを剥そうとした事実を知ることが可能とされ、これによって不正行為を防止するようにしたものである。
【特許文献１】特開平８−８３０４７号公報
【考案の開示】
【考案が解決しようとする課題】
【０００４】
上記のように、価格表示ラベルの貼替えによる不正行為を防止するようにしたラベルには種々のものが存在する。ところが、その中でも、ラベルの一部に切込を設けたものは、その切込みがラベルの外観を悪くし、また貼り付け作業を行う際、ラベルの形状が崩れやすいという欠点を有する。また、ラベルの材質に脆弱な基材を用いたものは、他の商品等と摩擦することによって破損したり、基材に粘着剤がにじみやすく、表示内容が読み取り難くなるという欠点を有する。
【０００５】
さらに、特許文献１の貼替え防止ラベルは、粘着ラベルを剥そうとした場合、粘着剤層から切り込みに沿って着色剤が染み出ることにより、この着色剤が他の商品等に付着して、該商品を汚してしまうおそれがある。
【０００６】
本考案は、上記のような事情に鑑みてなされたもので、購買者の不正行為を防止するために、ラベルの張替えを容易に検知できるラベルであって、意匠性にも優れた貼替え防止ラベルを提供することを目的とする。
【課題を解決するための手段】
【０００７】
上記の目的を達成するために、本考案の請求項１に記載された貼替え防止ラベルは、透明又は半透明のラベル基材の裏面に着色剤を含有した粘着剤によって文字、記号又は図形等の表示がなされ、前記ラベル基材の裏面に施された粘着剤による表示が該ラベル基材の表側から透視可能とされると共に、該ラベル基材の裏面の粘着剤を被貼着面に貼り付けて剥がしたとき、前記ラベル基材の裏面の粘着剤が全部又は部分的に前記被貼着面に付着することによって該ラベル基材から全部又は部分的に離脱するようにしたことを特徴とする。
【０００８】
また、本考案の請求項２に記載された貼替え防止ラベルは、請求項１において、前記ラベルの表面には、着色インキによる表示がなされたことを特徴とする。
【０００９】
さらに、本考案の請求項３に記載された貼替え防止ラベルは、請求項１又は２において、前記ラベル基材の表面に施された着色インキによる表示と重なる部位又は重ならない部位に、前記ラベル基材の裏面の粘着剤による表示がなされたことを特徴とする。
【考案の効果】
【００１０】
本考案の貼替え防止ラベルによれば、ラベル基材の裏面に施された粘着剤による表示が該ラベル基材の表側から透視可能とされるため、ラベル基材の表側から、ラベル基材の裏面の粘着剤による表示が透過して見え、他のラベルとの差別化を図る等の宣伝効果を発揮することができ、その粘着剤による表示を工夫することによって、ラベル全体の意匠性を向上することが可能となる。
【００１１】
また、本考案の貼替え防止ラベルによれば、ラベル基材の裏面の粘着剤を被貼着面に貼り付けて剥がしたとき、ラベル基材の裏面の粘着剤のうち、被貼着面に付着した残りの粘着剤がラベル基材の裏面に残留するため、この剥がしとったラベルを別の商品等の被貼着面に付着すると、ラベル基材の裏面に残留した粘着剤による表示が表側から透過して見え、外観的には、部分的に欠損した不完全なものであることが一目で分かるため、このラベルが不正に張り替えられたものであることが判別可能である。
【００１２】
さらに、本考案の貼替え防止ラベルにおいては、ラベル基材の裏面から粘着剤がすべて離脱して被貼着面に付着し、ラベル基材の裏面に残留しないものとすることも可能であり、この場合、ラベル基材の表面の表示のみが外方から目視できるだけで、裏面の表示が目視できないことから、やはり、このラベルが不正に張り替えられたものであることが判別可能となる。
【考案を実施するための最良の形態】
【００１３】
本考案の貼替え防止ラベル１Ａ〜１Ｃは、例えば、図１(ａ)〜(ｃ)に示すように、透明又は半透明のラベル基材２の裏面に着色剤を含有した粘着剤５によって文字、記号又は図形等の表示（裏面の表示４）がなされ、この裏面の表示４がラベル基材２の表側から透視可能とされると共に、該ラベル基材２の裏面の粘着剤５を被貼着面６（図２（ａ）、(ｂ)参照）に貼り付けて剥がしたとき、ラベル基材２の裏面の粘着剤５のうち、ラベル基材２の裏面の粘着剤５が全部又は部分的に被貼着面６に付着することによって該ラベル基材２から全部又は部分的に離脱するようにしたものである。
【実施例１】
【００１４】
本実施例の貼替え防止ラベル１Ａについて詳細に述べると、図１(ａ)に示すように、透明又は半透明のラベル基材２の裏面に、着色剤を含有した粘着剤５による表示（裏面の表示４）の一例として多数の「ＡＢＣ商店」という文字が施されている。また、ラベル基材２の表面には、着色インキによる表示（表面の表示３）がなされ、その例として、図１に示すように、「お買得品」「￥１.９８０」という文字が施されている。
【００１５】
即ち、この図1(ａ)に示すラベル１Ａは、図１(ｂ)に示すように、透明又は半透明のラベル基材２の裏面に、着色剤を含有した粘着剤５による表示（裏面の表示４）がなされると共に、この裏面の表示４に重なる部位を有してラベル基材２の表面に着色インキによる表示（表面の表示３）がなされたものであり、図１(ａ)に示すように、表面に見える文字（表面の表示３）の間から、裏面に施された文字（裏面の表示４）が表側に透過して見えるようにされたものである。このラベル１Ａの場合、ラベル基材２の表面に表示した文字（表面の表示３）を見え易くするため、ラベル基材２の裏面に施した文字等の表示（裏面の表示４）は表面の表示３よりも薄い彩色で施すのが好ましい。
【００１６】
なお、図１(ｂ)に示す断面図において、ラベル基材２の裏面には剥離紙７が付着され、保管時等には、この剥離紙７によってラベル基材２の裏面の粘着剤５を保護するようにしている。
【００１７】
このような構成において、ラベル基材２としては、任意の材質を使用できる。その例としては、ポリエチレン、ポリプロピレン、ポリエチレンテレフタレート、塩化ビニルなどのシート、上質紙、コート紙、アート紙、含浸紙などの紙、合成紙、不織布などのシート及びこれらの積層シートを用いることが好ましい。本考案においては、これらのうち、単一材料または複数の材料を用い、透明又は半透明のラベルとして加工する。
【００１８】
また、粘着剤５としては、例えば天然ゴム系粘着剤、合成ゴム系粘着剤、アクリル樹脂系粘着剤、ポリビニルエーテル樹脂系粘着剤、ウレタン樹脂系粘着剤、シリコーン樹脂系粘着剤などが挙げられる。本考案においては、これらの粘着剤の１種又は２種以上を組み合わせて用い、その粘着剤に着色インキを混合して、所望の色彩を有する粘着剤５とする。なお、ラベル基材２の裏面にシリコンニス等を塗布し、その上面に粘着剤５を付着したラベルを作成し、このラベルの粘着剤５を被貼着面に貼り付けた場合、全部の粘着剤５がラベル基材２から離脱して被貼着面に付着する。
【００１９】
なお、粘着剤に着色インキを含有する量は、ラベル基材２の透明度、どのような色彩を用いるか、またどの程度にラベル基材２を透過させるか等の見え方の問題があり、定量的に規定することは困難であり、用いるラベル基材２の透明度や彩色の種類や透過する見え方等によって試行することにより決定すればよい。
【００２０】
いずれにしても、本考案による貼替え防止ラベル１Ａは、図２（ａ）に示すように、商品等の被貼着面６にラベル基材２の裏面の粘着剤５を付着したとき、ラベル基材２の表側から、ラベル基材２の裏面の粘着剤５による表示（裏面の表示４）が透過して見え、他のラベル１との差別化を図る等の宣伝効果を有し、その粘着剤５による表示（裏面の表示４）の内容やデザイン性を工夫することによって、ラベル１Ａ全体の意匠性を向上することが可能となる。
【００２１】
また、図２(ｂ)、(ｃ)に示すように、このラベル基材２を被貼着面６から剥がしたとき、ラベル基材２の裏面の粘着剤５のうち、一部又は全部の粘着剤５が離脱（離脱した粘着剤５ｂ）して被貼着面６に付着し、図２(ｂ)に示すようにその残りの粘着剤５がラベル基材２の裏面に部分的に残留（残留した粘着剤５ａ）するか、または、図２(ｃ)に示すように、粘着剤５がすべて離脱（離脱した粘着剤５ｂ）して被貼着面６に付着し、ラベル基材２の裏面には残留しない。そのため、剥がし取ったラベル１を別の商品等の被貼着面６に付着すると、図１(ｃ)に示すように、ラベル基材２の裏面に残留した粘着剤５（残留した粘着剤５ａ）による表示が表側から透過して見え、外観的には、部分的に欠損した欠損部８を有するものであることが一目で分かるため、このラベル１が不正に張り替えられたものであることが判別できる。また、図２(ｃ)に示すように、ラベル基材２の裏面に粘着剤５が残留していない場合、ラベル基材２の表面の文字（表面の表示３）のみが外方から目視できることとなり、裏面の表示４が残留していないことから、やはり、このラベル１が不正に張り替えられたものであることが判別できる。
【実施例２】
【００２２】
本実施例のラベル１Ｂは、図３(ａ)、(ｂ)に示すように、実施例１と同様、透明又は半透明のラベル基材２の裏面に、着色剤を含有した粘着剤５による表示（裏面の表示４）がなされると共に、ラベル基材２の表面に着色インキによる表示（表面の表示３）がなされたものであり、ラベル基材２の材質、粘着剤の材質等は、実施例１で説明したものと同様のものでよい。ただし、本実施例においては、ラベル基材２の表面に施された着色インキによる表示（表面の表示３）と重ならない部位に、ラベル基材２の裏面の着色剤を含有した粘着剤５による表示（裏面の表示４）がなされたものである。
【００２３】
このラベル１Ｂによれば、ラベル１Ｂの表面の着色インクによる表示（表面の表示３）と裏面の着色剤を含有した粘着剤５による表示（裏面の表示４）とが重ならないため、ラベル１Ｂの裏面の粘着剤５に含有する着色剤を濃い彩色として、ラベル基材２を透過する表示を積極的に生かすようにした意匠性とすることが可能となる。
【００２４】
また、本実施例のラベル１Ｂにおいても、このラベル基材２を被貼着面６（図２参照）から剥がしたとき、ラベル基材２の裏面の粘着剤５のうち、一部の粘着剤５が被貼着面６に付着し、その残りの粘着剤５がラベル基材２の裏面に残留し、剥がしとったラベル１Ｂを別の商品等の被貼着面６に付着すると、図３(ｃ)に示すように、ラベル基材２の裏面に残留した粘着剤５ａによる表示が表側から透過して見え、外観的には、部分的に欠損した欠損部８を有するものであることが一目で分かるため、このラベル１Ｂが張り替えられたものであることが判別可能である。
【実施例３】
【００２５】
この実施例のラベル１Ｃは、図４(ａ)、(ｂ)に示すように、透明又は半透明のラベル基材２の裏面に、着色剤を含有した粘着剤５による表示（裏面の表示４）がなされたものであって、ラベル基材２の表面には何ら表示がなされていない。従って、ラベル基材２を透過する表示はラベル１Ｃの裏面の表示４のみとなるため、ラベル１Ｃの裏面の粘着剤５に含有する着色剤を濃い彩色として、ラベル基材２を透過する表示のみでラベル１Ｃの表示内容を表すこととなる。
【００２６】
また、本実施例のラベル１Ｃにおいても、このラベル基材２を被貼着面６から剥がしたとき、ラベル基材２の裏面の粘着剤５のうち、一部の粘着剤５が被貼着面６に付着し、その残りの粘着剤５がラベル基材２の裏面に残留し、剥がしとったラベル１Ｃを別の商品等の被貼着面６に付着すると、図４(ｃ)に示すように、ラベル基材２の裏面に残留した粘着剤５ａによる表示が表側から透過して見え、外観的には、部分的に欠損した欠損部８を有するものであることが一目で分かるため、このラベル１Ｃが張り替えられたものであることが判別可能となる。
【産業上の利用可能性】
【００２７】
本考案の貼替え防止ラベルは、購買者の不正行為を防止するために、ラベルの張替えを容易に検知できるラベルであって、意匠性にも優れた貼替え防止ラベルとして利用可能である。
【図面の簡単な説明】
【００２８】
【図１】(ａ)は本考案の実施例１に係る貼替え防止ラベルの正面図であり、(ｂ)はその断面図であり、(ｃ)は(ａ)のラベルを張り替えた場合の正面図である。
【図２】(ａ)は本考案の実施例１に係る貼替え防止ラベルを被貼着面に付着した状況を示す断面図であり、(ｂ)はそのラベルを剥がし取ったとき粘着剤が部分的に離脱する状況を示す断面図、(ｃ)はそのラベルを剥がし取ったとき粘着剤が全部離脱する状況を示す断面図である。
【図３】(ａ)は本考案の実施例２に係る貼替え防止ラベルの正面図であり、(ｂ)はその断面図であり、(ｃ)は(ａ)のラベルを張り替えた場合の正面図である。
【図４】(ａ)は本考案の実施例３に係る貼替え防止ラベルの正面図であり、(ｂ)はその断面図であり、(ｃ)は(ａ)のラベルを張り替えた場合の正面図である。
【符号の説明】
【００２９】
１Ａ、１Ｂ、１Ｃ  貼替え防止ラベル
２  ラベル基材
３  表面の表示
４  裏面の表示
５  粘着剤
５ａ  残留した粘着剤
５ｂ  離脱した粘着剤
６  被貼着面
７  剥離紙
８  欠損部
【図１】
0003137001.tif 000003
【図２】
0003137001.tif 000004
【図３】
0003137001.tif 000005
【図４】
0003137001.tif 000006